(57)【要約】【課題】出力設定が変更される場合においても、外部表示装置にスムーズに撮影画像を表示させることを目的とする。【解決手段】出力設定の異なる複数の撮影モードを有し、モードダイヤルの回転により撮影モードを選択可能な撮影装置であって、モードダイヤルの回転により撮影モードが変更されたときに、モードガイドの表示が有効の場合には、変更前の撮影モードに対応する出力設定でモードガイドを外部表示装置へ出力し、モードガイドの表示が無効の場合には、モードダイヤルにより変更された撮影モードに対応する出力設定に変更して、撮影画像を外部表示装置へ出力するよう制御する出力制御手段を有することを特徴とする。【選択図】図６
2019110423.tif 000002
【特許請求の範囲】
【請求項１】
出力設定の異なる複数の撮影モードを有し、モードダイヤルの回転により撮影モードを選択可能な撮影装置であって、
前記モードダイヤルの回転により撮影モードが変更されたときに、モードガイドの表示が有効の場合には、変更前の撮影モードに対応する出力設定で前記モードガイドを前記外部表示装置へ出力し、前記モードガイドの表示が無効の場合には、前記モードダイヤルにより変更された撮影モードに対応する出力設定に変更して、撮影画像を外部表示装置へ出力するよう制御する出力制御手段を有することを特徴とする撮影装置。
【請求項２】
前記モードダイヤルの操作に応じて撮影モードが変更される時に、前記モードガイドの表示を有効にするか無効にするかを設定するための設定手段を有することを特徴とする請求項１に記載の撮影装置。
【請求項３】
前記出力制御手段は、前記モードガイドの出力から撮影画像の出力に切り替えるときに、前記モードダイヤルにより変更された撮影モードに対応する出力設定に変更して、撮影画像を前記外部表示装置へ出力するよう制御することを特徴とする請求項１に記載の撮影装置。
【請求項４】
前記出力制御手段は、所定の操作を受け付けたことに応じて、前記モードガイドの出力から撮影画像の出力に切り替えることを特徴とする請求項３に記載の撮影装置。
【請求項５】
撮影モードに対応する出力設定を変更する出力設定変更手段を有することを特徴とする請求項１に記載の撮影装置。
【請求項６】
前記出力設定は、解像度であることを特徴とする請求項１乃至５の何れか１項に記載の撮影装置。
【請求項７】
前記出力設定は、フレームレートであることを特徴とする請求項１乃至５の何れか１項に記載の撮影装置。
【請求項８】
前記出力設定は、輝度信号のダイナミックレンジであることを特徴とする請求項１乃至５の何れか１項に記載の撮影装置。
【請求項９】
外部表示装置への撮影画像の出力設定の異なる複数の撮影モードを有し、モードダイヤルの回転により撮影モードを選択可能な撮影装置が実行する制御方法であって、
前記モードダイヤルの回転により撮影モードが変更されたときに、モードガイドの表示が有効の場合には、変更前の撮影モードに対応する出力設定で前記モードガイドを前記外部表示装置へ出力し、前記モードガイドの表示が無効の場合には、前記モードダイヤルにより変更された撮影モードに対応する出力設定に変更して、撮影画像を前記外部表示装置へ出力するよう制御する出力制御ステップを含むことを特徴とする制御方法。
【請求項１０】
請求項１乃至８の何れか１項に記載の撮影装置の各手段として機能させるためのプログラム。
【発明の詳細な説明】
【技術分野】
【０００１】
本発明は、外部表示装置に撮影画像を出力する撮影装置、制御方法及びプログラムに関する。
【背景技術】
【０００２】
従来、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、映像データをＨＤＭＩインターフェースを介して送信することができる。シンク装置は、ソース装置からの映像データをＨＤＭＩインターフェースを介して受信し、受信した映像データを表示器に表示することができる。特許文献１には、シンク装置に対応する解像度を示す情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が開示されている。このソース装置は、シンク装置から取得したＥＤＩＤを用いてシンク装置に表示させるためのデータを生成する。
【０００３】
また、ＵＨＤ（Ｕｌｔｒａ  Ｈｉｇｈ  Ｄｅｆｉｎｉｔｉｏｎ）、ＦＨＤ（Ｆｕｌｌ  Ｈｉｇｈ  Ｄｅｆｉｎｉｔｉｏｎ）、ＳＤ（Ｓｔａｎｄａｒｄ  Ｄｅｆｉｎｉｔｉｏｎ）など複数の解像度に対応することができるソース装置、シンク装置が知られている。デジタルカメラには撮影モードを切り替えるためのダイヤル装置が付随しており、ダイヤルを操作することで、静止画、動画などの撮影モードを切り替えることができる。
【先行技術文献】
【特許文献】
【０００４】
【特許文献１】特開２００９−７７３４７号公報
【発明の概要】
【発明が解決しようとする課題】
【０００５】
しかしながら、ソース装置は、シンク装置からの信号をＵＨＤからＦＨＤ、ＦＨＤからＳＤ、またはＳＤからＦＨＤなど変更する際、瞬時に切り替えを行えず、しばらく消灯した後に表示を開始することとなる。このため、例えば静止画撮影と動画記録のライブビュー映像の解像度が異なる場合、ソース装置とシンク装置の映像の解像度を一致させる必要があり、モードダイヤルを操作する度に、シンク装置が再表示するまでユーザを待たせてしまうという問題があった。
【０００６】
本発明はこのような問題点に鑑みなされたもので、出力設定が変更される場合のユーザビリティを向上させることを目的とする。
【課題を解決するための手段】
【０００７】
そこで、本発明は、撮影装置であって、出力設定の異なる複数の撮影モードを有し、モードダイヤルの回転により撮影モードを選択可能な撮影装置であって、前記モードダイヤルの回転により撮影モードが変更されたときに、モードガイドの表示が有効の場合には、変更前の撮影モードに対応する出力設定で前記モードガイドを前記外部表示装置へ出力し、前記モードガイドの表示が無効の場合には、前記モードダイヤルにより変更された撮影モードに対応する出力設定に変更して、撮影画像を前記外部表示装置へ出力するよう制御する出力制御手段を有することを特徴とする。
【発明の効果】
【０００８】
本発明によれば、出力設定が変更される場合のユーザビリティを向上させることができる。
【図面の簡単な説明】
【０００９】
【図１】通信システムを示す図である。
【図２】撮影装置の外観図である。
【図３】表示部に表示される画面の説明図である。
【図４】モード切替時の処理を示すフローチャートである。
【図５】映像データ送信処理を示すフローチャートである。
【図６】モード切替処理を示すフローチャートである。
【発明を実施するための形態】
【００１０】
以下、本発明の実施形態について図面に基づいて説明する。
図１は、本実施形態に係る通信システムを示す図である。本実施形態の通信システムは、図１に示すように、撮影装置１００と外部表示装置２００とが、接続ケーブル５００、分配器４００及び接続ケーブル６００を介して通信可能に接続されている。また、撮影装置１００と記録装置３００とが、接続ケーブル５００、分配器４００及び接続ケーブル７００を介して通信可能に接続されている。撮影装置１００、外部表示装置２００、記録装置３００及び分配器４００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に対応する通信を行うことができるデバイスである。接続ケーブル５００、接続ケーブル６００及び接続ケーブル７００は、ＨＤＭＩ規格に対応する通信インターフェースである。
【００１１】
接続ケーブル５００には、ＤＤＣ（Ｄｉｓｐｌａｙ Ｄａｔａ  Ｃｈａｎｎｅｌ）ライン５０１及びＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）ライン５０２が含まれている。さらに、接続ケーブル５００には、ＣＥＣ（Ｃｏｎｓｕｍｅｒ  Ｅｌｅｃｔｒｏｎｉｃｓ  Ｃｏｎｔｒｏｌ）ライン５０３が含まれている。同様に、接続ケーブル６００には、ＤＤＣライン６０１、ＴＭＤＳライン６０２及びＣＥＣライン６０３が含まれている。同様に、接続ケーブル７００には、ＤＤＣライン７０１、ＴＭＤＳライン７０２及びＣＥＣライン７０３が含まれている。
【００１２】
なお、撮影装置１００は、デジタル一眼レフカメラ、デジタルスチルカメラやデジタルビデオカメラ等の撮像デバイスとする。他の例としては、撮影装置１００は、撮影部を備えた、携帯電話やスマートフォン等のデバイスであってもよい。また、外部表示装置２００は、テレビ、パーソナルコンピュータやプロジェクタ等のデバイスとする。他の例としては、外部表示装置２００は、表示デバイスであってもよい。記録装置３００は、レコーダやハードディスクドライブ等のデバイスとする。
【００１３】
次に、撮影装置１００について説明する。撮影装置１００は、ＣＰＵ（Ｃｅｎｔｒａｌ  Ｐｒｏｃｅｓｓｉｎｇ  Ｕｎｉｔ）１０１、メモリ１０２、通信部１０３、撮像部１０４、画像処理部１０５、記録部１０６、表示部１０７及び操作部１０８を有する。ＣＰＵ１０１は、メモリ１０２に格納されているコンピュータプログラムに従って、撮影装置１００の動作を制御する。ＣＰＵ１０１は、外部表示装置２００から取得した外部表示装置２００のデバイス情報を解析することにより、外部装置の２００の画像表示能力及び音声処理能力を知ることができる。
【００１４】
外部表示装置２００のデバイス情報とは、外部表示装置２００に記録されているＥＤＩＤ（Ｅｘｔｅｎｄｅｄ  ｄｉｓｐｌａｙ  ｉｄｅｎｔｉｆｉｃａｔｉｏｎ  ｄａｔａ）またはＥ−ＥＤＩＤ（Ｅｎｈａｎｃｅｄ  ＥＤＩＤ）である。ＥＤＩＤ及びＥ−ＥＤＩＤにはいずれも、外部表示装置２００の識別情報、外部表示装置２００がサポートしている解像度、走査周波数、アスペクト比、色空間などに関する情報等が含まれている。Ｅ−ＥＤＩＤは、ＥＤＩＤを拡張したものであり、ＥＤＩＤよりも多くの能力情報を含む。例えば、Ｅ−ＥＤＩＤには、外部表示装置２００がサポートしている映像データ及び音声データのフォーマットなどに関する情報が含まれている。以下、ＥＤＩＤ及びＥ−ＥＤＩＤをいずれも「ＥＤＩＤ」と呼ぶ。
【００１５】
外部表示装置２００から接続ケーブル５００、分配器４００及び接続ケーブル６００を介して、ＥＤＩＤを取得した撮影装置１００は、ＤＤＣライン５０１を介して取得したＥＤＩＤを解析する。撮影装置１００は、ＥＤＩＤの解析結果から外部表示装置２００の画像表示能力、音声処理能力などを知ることができる。さらに、撮影装置１００は、外部表示装置２００の画像表示能力及び音声処理能力に適した映像データ及び音声データを生成することができる。
【００１６】
メモリ１０２は、ＣＰＵ１０１のワークエリアとして機能する。メモリ１０２には、外部表示装置２００から取得したＥＤＩＤ、撮影装置１００に関する情報及びＣＰＵ１０１による解析の結果等も格納される。なお、ＣＰＵ１０１のワークエリアは、メモリ１０２に限られるものではなく、ハードディスクドライブ等の外部メモリ等であってもよい。
【００１７】
通信部１０３は、接続ケーブル５００を接続するための接続端子（コネクタ）を有する。通信部１０３は、ＤＤＣライン５０１、分配器４００及びＤＤＣライン６０１を介して外部表示装置２００からＥＤＩＤを取得する。外部表示装置２００から取得されたＥＤＩＤは、ＣＰＵ１０１に供給される。通信部１０３は、データ送信部１０３ａ及びコマンド処理部１０３ｂを有する。データ送信部１０３ａは、外部表示装置２００の表示能力に適した映像データ、外部表示装置２００の音声処理能力に適した音声データ及び補助データを、ＴＭＤＳライン５０２、分配器４００及びＴＭＤＳライン６０２を介し外部表示装置２００に送信する。データ送信部１０３ａによって外部表示装置２００に送信される映像データ及び音声データは、外部表示装置２００から取得されるＥＤＩＤに応じて生成される。
【００１８】
撮影装置１００が撮影モードである場合、撮像部１０４により生成され、かつ、画像処理部１０５により画像処理が行われた映像データがデータ送信部１０３ａによって外部表示装置２００に送信される。この場合、不図示のマイクロフォンによって生成された音声データも映像データとともにデータ送信部１０３ａによって外部表示装置２００に送信される。撮影装置１００が再生モードである場合、記録部１０６により記録媒体１０６ａから読み出され、かつ、画像処理部１０５により画像処理が行われた映像データがデータ送信部１０３ａによって外部表示装置２００に送信される。この場合、記録部１０６により記録媒体１０６ａから読み出された音声データも映像データとともにデータ送信部１０３ａによって外部表示装置２００に送信される。
【００１９】
撮影装置１００が撮影モードであり、かつ、所定の通信モードであるとする。この場合、撮像部１０４によるライブビュー撮影によって生成され、かつ、画像処理部１０５による画像処理が行われた映像データがデータ送信部１０３ａによって、外部表示装置２００に送信される。この場合、さらにデータ送信部１０３ａによって映像データとともに音声データが外部表示装置２００に送信されてもよい。なお、撮影装置１００が撮影モードであり、かつ、所定の通信モードである場合、データ送信部１０３ａによって送信される映像データには、撮影に関する情報等の補助データが重畳されないようにする。なお、撮影に関する情報には、撮影日時を示す情報、撮影地点を示す情報、オートフォーカスに関する情報、自動露出に関する情報、シャッタースピードに関する情報等が含まれる。
【００２０】
撮影装置１００は、撮影モードであり、かつ、所定の通信モードである場合、スルー映像を外部に送信する。なお、スルー映像とは、撮像部１０４によるライブビュー撮影によって生成され、かつ、画像処理部１０５による画像処理が行われた映像データを含む。また、スルー映像は、レリーズの指示が撮影装置１００に行われる前に、撮像部１０４及び画像処理部１０５によって生成される映像データを含む。また、スルー映像は、撮像部１０４及び画像処理部１０５によって生成される映像データを記録媒体１０６ａに記録させるための指示が撮影装置１００に行われる前に、撮像部１０４及び画像処理部１０５によって生成される映像データを含む。
【００２１】
コマンド処理部１０３ｂは、ＣＥＣライン５０３、分配器４００及びＣＥＣライン６０３を介して接続される外部表示装置２００に、ＣＥＣプロトコルに対応するコマンドを送信することができる。さらに、コマンド処理部１０３ｂは、ＣＥＣライン５０３、分配器４００及びＣＥＣライン６０３を介して接続される外部表示装置２００からＣＥＣプロトコルに対応するコマンドを受信することができる。また、コマンド処理部１０３ｂは、ＣＥＣライン５０３、分配器４００及びＣＥＣライン７０３を介して接続される記録装置３００に、ＣＥＣプロトコルに対応するコマンドを送信することができる。さらに、コマンド処理部１０３ｂは、ＣＥＣライン５０３、分配器４００及びＣＥＣライン７０３を介して接続される記録装置３００からＣＥＣプロトコルに対応するコマンドを受信することができる。
【００２２】
なお、コマンド処理部１０３ｂは、外部表示装置２００及び記録装置３００のいずれか一つから受信したコマンドをＣＰＵ１０１に供給することができる。ＣＰＵ１０１は、コマンド処理部１０３ｂから供給されるコマンドを解析し、その解析結果に応じて、撮影装置１００を制御する。なお、外部表示装置２００及び記録装置３００のいずれか一つに送信するコマンドは、ＣＰＵ１０１によって生成される。ＣＰＵ１０１は、コマンド処理部１０３ｂから供給されるコマンドを解析し、その解析結果に応じて、撮影装置１００を制御する。
【００２３】
撮像部１０４は、不図示のレンズユニットを介して入射した被写体の光学像から静止画データや動画データ等の映像データを生成する。撮像部１０４によって生成された映像データは、画像処理部１０５に供給される。
【００２４】
画像処理部１０５は、撮像部１０４、メモリ１０２及び記録部１０６のいずれか一つから供給される映像データに画素補間処理や色変換処理等の画像処理を行う。さらに、画像処理部１０５は、適応離散コサイン変換（ＡＤＣＴ）等により映像データを圧縮し、圧縮された映像データを伸長する圧縮伸長手段を有する。なお、映像データを圧縮する方式として、ＪＰＥＧ方式、ＭＰＥＧ方式、ＲＡＷ方式等が挙げられる。撮像部１０４、メモリ１０２及び記録部１０６のいずれか一つから供給される映像データは、圧縮伸長手段によって、圧縮処理または伸長処理が行われ、記録部１０６及び通信部１０３のいずれか一つに出力される。
【００２５】
また、画像処理部１０５は、外部表示装置２００から取得したＥＤＩＤに基づいて、撮像部１０４、メモリ１０２及び記録部１０６のいずれか一つから供給された映像データから外部表示装置２００の画像表示能力に適した映像データを生成する。この場合、画像処理部１０５は、ＥＤＩＤに基づいて生成した映像データを通信部１０３及び記録部１０６の少なくとも一つに供給する。
【００２６】
記録部１０６は、撮像部１０４によって生成され、画像処理部１０５によって画像処理が行われた映像データを記録媒体１０６ａに記録する。さらに、記録部１０６は、不図示のマイクロフォン部によって生成された音声データを記録媒体１０６ａに記録する。また、記録部１０６は、記録媒体１０６ａに記録されている映像データ及び音声データの少なくとも一つを記録媒体１０６ａから読み出す。記録部１０６によって記録媒体１０６ａから読み出された映像データは画像処理部１０５に供給される。記録媒体１０６ａは、撮影装置１００に内蔵されているメモリあってもよく、撮影装置１００に着脱可能な外部メモリであってもよい。また、記録媒体１０６ａは、メモリカードであってもよく、ハードディスクドライブであってもよい。
【００２７】
表示部１０７は、液晶ディスプレイなどの表示器により構成される。表示部１０７は、撮影装置１００が撮影モードである場合、撮像部１０４によって生成された映像データを表示する。また、撮影装置１００が再生モードである場合、表示部１０７は、記録媒体１０６ａから読み出された映像データを表示する。操作部１０８は、撮影装置１００を操作するためのユーザインターフェースを提供する。操作部１０８は、撮影装置１００を操作するための電源ボタン、モード変更ボタン、シャッターボタン、十字ボタン、メニューボタン等を有し、各ボタンはスイッチ、タッチパネル等により構成される。
【００２８】
ＣＰＵ１０１は、操作部１０８を介して入力されたユーザの指示に従って撮影装置１００を制御することができる。ユーザによって操作部１０８のボタンが操作された場合、操作部１０８から各ボタンに応じた操作信号がＣＰＵ１０１に入力される。ＣＰＵ１０１は、操作部１０８から入力された操作信号を解析し、解析結果に応じて操作信号に対応した処理を判定する。ＣＰＵ１０１は、操作部１０８から入力された操作信号に対応した処理を実行するように撮影装置１００を制御する。ユーザは、操作部１０８を用いて、撮影装置１００を撮影モード及び再生モードのいずれか一つに設定することができる。なお、撮影装置１００が撮影モードである場合、ユーザは、操作部１０８を用いて、撮影装置１００を所定の通信モードに設定するか否かを選択することができる。
【００２９】
撮影モード切り換えダイヤル（以下モードダイヤルと呼ぶ）１１１、シャッタースイッチ１０６は、ＣＰＵ１０１に各種の動作指示を入力するための操作手段である。モードダイヤル１１１は、撮影装置１００の撮影動作モードを静止画全自動モード、静止画シーンモード、静止画応用モード、動画モードなどに切り換える。モードと各モードに含まれる詳細モードについては後述する。また切り換え方法についても後述する。
【００３０】
分配器４００は、撮影装置１００から外部表示装置２００に送信される映像データ、音声データ及び補助データをＴＭＤＳライン５０２を介して受信し、受信したデータを外部表示装置２００及び記録装置３００に供給する。撮影装置１００によって送信された映像データは、ＴＭＤＳライン５０２、分配器４００及びＴＭＤＳライン６０２を介して外部表示装置２００に供給される。さらに、撮影装置１００によって送信された映像データは、ＴＭＤＳライン５０２、分配器４００及びＴＭＤＳライン７０２を介して記録装置３００に供給される。なお、撮影装置１００によって送信された音声データ及び補助データも、撮影装置１００によって送信された映像データと同様である。
【００３１】
次に、外部表示装置２００について説明する。外部表示装置２００は、撮影装置１００から受信した映像データを不図示のディスプレイに表示し、撮影装置１００から受信した音声データを不図示のスピーカから出力する。外部表示装置２００は、ＥＤＩＤを記録する。さらに、外部表示装置２００は、外部表示装置２００の表示設定が変更された場合、変更された後の表示設定に応じて、ＥＤＩＤに含まれる情報を書き換える。
【００３２】
次に、記録装置３００について説明する。記録装置３００は、ＣＰＵ３０１、画像処理部３０２、通信部３０３、記録部３０４、操作部３０５及びメモリ３０６を有する。ＣＰＵ３０１は、メモリ３０６に記録されているコンピュータプログラムに従って記録装置３００の動作を制御する。画像処理部３０２は、通信部３０３から供給される映像データに対してさまざまな画像処理を行う。画像処理部３０２によって画像処理が行われた映像データは、記録部３０４に供給される。通信部３０３は、接続ケーブル７００を接続するための接続端子を有する。通信部３０３は、撮影装置１００から送信された映像データ、音声データ及び補助データをＴＭＤＳライン７０２を介して受信する。通信部３０３によって撮影装置１００から受信した映像データは、画像処理部３０２に供給される。通信部３０３によって撮影装置１００から受信した音声データは、特定の処理が行われてから記録部３０４に供給される。通信部３０３によって撮影装置１００から受信した補助データは、ＣＰＵ３０１に供給される。
【００３３】
記録部３０４は、画像処理部３０２で画像処理が行われた映像データを記録媒体３０４ａに記録する。また、記録部３０４は、通信部３０３から供給された音声データを記録媒体３０４ａに記録する。記録媒体３０４ａは、記録装置３００に内蔵されているメモリであってもよく、記録装置３００に取り外し可能な外部のメモリであってもよい。操作部３０５は、記録装置３００を操作するためのユーザインターフェースを提供する。なお、撮影装置１００から外部表示装置２００に送信される映像データ、音声データ及び補助データと同一のデータが記録装置３００にも撮影装置１００から分配器４００を介して送信されるものとする。
【００３４】
分配器４００は、外部表示装置２００及び記録装置３００に外部接続されるものであってもよい。また、外部表示装置２００は、分配器４００及び記録装置３００を含むものであってもよい。また、外部表示装置２００は、分配器４００を含み、記録装置３００と外部接続されるものであってもよい。なお、分配器４００は、撮影装置１００から出力される映像データ、音声データ及び補助データの少なくとも一つを外部表示装置２００及び記録装置３００に供給するものであればよい。
【００３５】
図２（ａ）は、撮影装置１００の背面図である。図２（ｂ）は、撮影装置１００の上面図である。カメラの電源をＯＮ／ＯＦＦする電源ボタン１１８と、モードダイヤル１１１は回転部材となっている。モードダイヤル１１１の周囲には撮影モードアイコン２０２が印刷されている。モードダイヤルを回転させることで指標２０３が指し示す撮影モードに切り換えることができる。
【００３６】
次に撮影モードの説明をする。モードには前述の静止画全自動モード、静止画シーンモード、静止画応用モード、動画モードがある。切り換えはモードダイヤル１１１を用いて行う。静止画シーンモードには、人物の撮影に適したポートレートモード、風景のような遠景の撮影に適した風景モード、近く被写体にクロースアップして接写をするのに適したマクロモード、動く被写体の撮影に適したスポーツモードなどがある。
【００３７】
静止画応用モードには、Ｍ（マニュアル）モード、ＴＶ（シャッター優先ＡＥ）モード、ＡＶ（絞り優先ＡＥ）モード及びＰ（プログラムＡＥ）モードがある。Ｍモードは、シャッター速度、絞り値を任意に設定できるモードである。ＴＶモードは、任意のシャッター速度を選択すると被写体の明るさから適切な絞り値を自動的に選択するモードである。ＡＶモードは、任意の絞り値を選択すると被写体の明るさから適切なシャッター速度を自動選択するモードである。Ｐモードは、被写体の明るさからシャッター速度と絞り値を自動的に選択するモードである。動画モードには露出を自動的に決定する動画Ｐモードと露出を任意に設定することができる動画Ｍモードある。
【００３８】
図３は、表示部１０７に表示される画面の説明図である。図３（ａ）の画面３１０は、ＴＶモードにおけるライブビュー画面である。図３（ｂ）の画面３２０は、ＴＶモードの撮影モードガイド画面である。ここで、撮影モードガイド画面とは、撮影モードの説明等を表示する画面である。図３（ｃ）の画面３３０は、動画モードのライブビュー画面である。図３（ｄ）の画面３４０は、動画モードの撮影モードガイド画面である。外部表示装置２００には、表示部１０７に表示される画面と同一の画面が同期して表示されるものとする。
【００３９】
図４は、静止画モード（ＴＶモード）から動画モードへ切り替える処理を示すフローチャートである。なお、処理の開始時点においては、図３（ａ）に示す画面３１０が表示されている。Ｓ４０１において、ＣＰＵ１０１は、撮影モードが変更されたか否かを判定する。ＣＰＵ１０１は、具体的には、前回記憶された撮影モード、すなわち直前に設定されていた撮影モードと、処理時点において新たに設定された撮影モードと、を比較し、両者が異なる場合に撮影モードが変更されたと判定する。ＣＰＵ１０１は、撮影モードが変更された場合には（Ｓ４０１でＹＥＳ）、処理をＳ４０２へ進める。ＣＰＵ１０１は、撮影モードが変更されていない場合には（４０１でＮＯ）、処理を終了する。
【００４０】
Ｓ４０２において、ＣＰＵ１０１は、新しい撮影モードを記憶する。次に、Ｓ４０３において、ＣＰＵ１０１は、撮影モードガイドの表示が有効か無効かを判定する。ＣＰＵ１０１は、撮影モードガイドの表示が有効な場合には（Ｓ４０３でＹＥＳ）、処理をＳ４０４へ進める。ＣＰＵ１０１は、撮影モードガイドの表示が無効な場合には（Ｓ４０３でＮＯ）、処理をＳ４０５へ進める。なお、撮影モードガイドの表示の有効無効は、ＣＰＵ１０１により設定される。Ｓ４０４において、ＣＰＵ１０１は、動画モードの撮影モードガイド画面である画面３４０（図４（ｄ））を表示する。Ｓ４０５において、ＣＰＵ１０１は、動画モード用のライブビュー画面である画面３３０（図４（ｃ））を表示する。以上で処理が終了する。
【００４１】
図５は、映像データ送信処理を示すフローチャートである。Ｓ５０１において、ＣＰＵ１０１は、撮影モードに設定され、かつ所定の通信モードであるか否かを判定する。ＣＰＵ１０１は、撮影モードに設定されており、かつ所定の通信モードである場合には（Ｓ５０１でＹＥＳ）、処理をＳ５０２へ進める。ＣＰＵ１０１は、撮影モードに設定されていない場合及び所定の通信モードでない場合の少なくともいずれかを満たす場合には（Ｓ５０１でＮＯ）、待機する。
【００４２】
Ｓ５０２において、ＣＰＵ１０１は、ライブビュー撮影を開始するための処理を行う。この場合、被写体光が撮像部１０４に含まれる不図示の撮像素子に導かれ、撮像素子によって撮像データが生成される。撮像素子によって生成された撮像データは、撮像部１０４に含まれるＡ／Ｄコンバータによってデジタルデータに変換され、画像処理部１０５に供給される。画像処理部１０５に供給されたデジタルデータは、画像処理部１０５によって所定の画素補間処理や色変換処理が行なわれる。このとき、画像処理部１０５によってデジタルデータに対して行われる画素補間処理は、撮影装置１００において、予め設定された映像データの記録設定に基づいて行われる。なお、映像データの記録設定は、ユーザが操作部１０８を用いて変更することができる。このため、ユーザは、操作部１０８を用いて映像データの記録設定を変更することによって、外部表示装置２００に送信するための映像データに対して行う補間方法を変更することができる。
【００４３】
なお、映像データの記録設定がＦＨＤ（Ｆｕｌｌ  Ｈｉｇｈ  Ｄｅｆｉｎｉｔｉｏｎ）に設定されている場合、画素補間処理が行われた後の映像データは、ＦＨＤの解像度（１９２０×１０８０ピクセル）に対応する。また、映像データの記録設定がＳＤ（Ｓｔａｎｄａｒｄ  Ｄｅｆｉｎｉｔｉｏｎ）に設定されている場合、画素補間処理が行われた後の映像データはＳＤの解像度（最大７２０×４８０または、最大７２０×５７６ピクセル）に対応する。
【００４４】
画像処理部１０５によって画素補間処理や色変換処理が行われたデジタルデータは、映像データとしてメモリ１０２に格納される。この場合、本フローチャートは、Ｓ２０２からＳ２０３に進む。なお、Ｓ２０２において、撮像部１０４及び画像処理部１０５は、オートフォーカス処理、自動露出処理やホワイトバランス処理等を行ってもよい。なお、画像処理部１０５は、デジタルデータに対して、映像データの記録設定に応じて画素補間処理を行う。また、画像処理部１０５は、デジタルデータに対して、外部表示装置２００から取得されたＥＤＩＤの解析結果に応じて、画素補間処理以外の画像処理を行ってもよい。
【００４５】
次に、Ｓ５０３〜Ｓ５０５において、ＣＰＵ１０１は、外部表示装置２００に映像データを送信するための設定処理を行う。具体的には、まずＳ５０３において、ＣＰＵ１０１は、外部表示装置２００からＥＤＩＤを取得したか否かを判定する。ＣＰＵ１０１は、ＥＤＩＤを取得したと判定するまで待機し、ＥＩＤを取得したと判定された場合（Ｓ５０３でＹＥＳ）、処理をＳ５０４へ進める。
【００４６】
Ｓ５０４において、ＣＰＵ１０１は、外部表示装置２００から取得したＥＤＩＤを解析する。ＣＰＵ１０１によって解析されたＥＤＩＤの解析結果は、メモリ１０２に記録される。次に、Ｓ５０５において、ＣＰＵ１０１は、撮像部１０４及び画像処理部１０５によって生成される映像データの出力設定として解像度を検出し、ＥＤＩＤの解析結果から外部表示装置２００によって設定されている出力設定としての解像度を検出する。撮像部１０４及び画像処理部１０５は、撮影装置１００で設定されている解像度に対応する映像データを生成する。なお、撮影装置１００で設定されている解像度は、ユーザが操作部１０８を介して、解像度を変更するための操作を行った場合に変更される。外部表示装置２００によって設定されている解像度は、外部表示装置２００が映像データの表示を行う際の解像度である。
【００４７】
次に、Ｓ５０６において、ＣＰＵ１０１は、Ｓ５０２の処理でメモリ１０２に格納された映像データを外部表示装置２００に送信するようにデータ送信部１０３ａを制御する。この場合、音声データ及び補助データも、映像データとともに外部表示装置２００に送信されるようにしてもよい。Ｓ５０６の処理で撮影装置１００から送信された映像データは、分配器４００を介して、外部表示装置２００及び記録装置３００に供給される。ＣＰＵ１０１は、映像データを送信する前に、ＣＥＣライン５０３を介して、映像データを送信することを通知するためのコマンドを外部表示装置２００及び記録装置３００に送信するようにコマンド処理部１０３ｂを制御する。映像データを送信することを通知するためのコマンドは、例えば、ＣＥＣプロトコルに規定されている＜Ａｃｔｉｖｅ  Ｓｏｕｒｃｅ＞メッセージである。また、映像データを送信することを通知するためのコマンドは、ベンダーコマンドであってもよい。
【００４８】
映像データの送信が開始されると、ＣＰＵ１０１は、処理をＳ５０７へ進める。Ｓ５０７において、ＣＰＵ１０１は、ライブビュー撮影の終了を指示するための操作が操作部１０８に対して行われたか否かを判定する。ＣＰＵ１０１は、ライブビュー撮影の終了を指示するための操作が操作部１０８に対して行われたと判定した場合（Ｓ５０７でＹＥＳ）、処理をＳ５０８へ進める。ＣＰＵ１０１は、ライブビュー撮影の終了を指示するための操作が操作部１０８に対して行われていないと判定した場合（Ｓ５０７でＮＯ）、処理をＳ５０６へ進める。
【００４９】
なお、ライブビュー撮影の終了を指示するための操作が行われていない場合（Ｓ５０７でＮＯ）において、外部表示装置２００の解像度に関する設定や外部表示装置２００の画素に関する設定が変更されたとする。この場合には、撮影装置１００は、再び、外部表示装置２００からＥＤＩＤを取得する。その後、ＣＰＵ１０１は、Ｓ２０３の設定処理を行ってから外部表示装置２００に映像データを送信するための処理を行う。
【００５０】
また、ライブビュー撮影の終了を指示するための操作が行われていない場合（Ｓ５０７でＮＯ）において、撮影装置１００において、映像データの記録設定が変更されたとする。この場合、撮影装置１００は、再びＳ５０３〜Ｓ５０５の設定処理を行う。さらに、この場合、撮影装置１００は、Ｓ５０３〜Ｓ５０５の設定処理が行われてから外部表示装置２００に映像データを送信するための処理を行う。
【００５１】
また、ライブビュー撮影の終了を指示するための操作が行われていない場合（Ｓ５０７でＮＯ）において、外部表示装置２００と異なる装置に映像データを送信するとする。この場合、撮影装置１００は、映像データを送信する対象となる装置からＥＤＩＤを取得する。その後、ＣＰＵ１０１は、Ｓ５０３〜Ｓ５０５の設定処理を行ってから外部に映像データを送信するための処理を行う。
【００５２】
Ｓ５０８において、ＣＰＵ１０１は、ライブビュー撮影を終了するための処理を行う。この場合、ＣＰＵ１０１は、被写体から映像データを生成する処理を停止するように撮像部１０４及び画像処理部１０５を制御する。さらに、ＣＰＵ１０１は、映像データの送信を停止するようにデータ送信部１０３ａを制御する。以上で、映像データ送信処理が終了する。
【００５３】
なお、撮影装置１００が一眼レフカメラである場合、Ｓ５０２において、ＣＰＵ１０１は、撮像部１０４に含まれる不図示のミラーをアップさせることによって、被写体からの光が撮像素子に導かれるようにする。さらに、Ｓ５０８において、ＣＰＵ１０１は、撮像部１０４に含まれる不図示のミラーをダウンさせることによって、被写体からの光が撮像素子に導かれないようにする。
【００５４】
図６は、モード切替処理を示すフローチャートである。Ｓ６０１において、ＣＰＵ１０１は、モードダイヤル１１１が操作されたか否かを判定する。ＣＰＵ１０１は、モードダイヤル１１１が操作されていない場合には（Ｓ６０１でＮＯ）、待機し、モードダイヤルが操作された場合には（Ｓ６０１でＹＥＳ）、処理をＳ６０２へ進める。Ｓ６０２において、ＣＰＵ１０１は、撮影モードガイドの表示が有効か無効かを判定する。ＣＰＵ１０１は、撮影モードガイドの表示が有効な場合には（Ｓ６０２でＹＥＳ）、処理をＳ６０３へ進める。ＣＰＵ１０１は、撮影モードガイドの表示が無効な場合には（Ｓ６０２でＮＯ）、処理をＳ６０５へ進める。
【００５５】
Ｓ６０３において、ＣＰＵ１０１は、撮影モードガイド画面（図３（ｂ）の画面３２０又は図３（ｄ）の画面３４０）を表示するよう制御する。次に、Ｓ６０４において、ＣＰＵ１０１は、ユーザ操作に応じて撮影モードが設定されたか否かを判定する。なお、ＣＰＵ１０１は、例えば、決定ボタン押下やシャッターボタン押下等予め設定されたユーザ操作が行われた場合に、撮影モードが設定されたと判定する。ＣＰＵ１０１は、撮影モードが設定されていない場合には（Ｓ６０４でＮＯ）、待機し、撮影モードが設定された場合には（Ｓ６０４でＹＥＳ）、処理をＳ６０５へ進める。
【００５６】
Ｓ６０５において、ＣＰＵ１０１は、処理時点において設定されている撮影モードに応じて、出力設定の変更が必要か否かを判定する。ＣＰＵ１０１は、具体的には、処理時点において設定されていた撮影モードの出力設定と、新たに設定された撮影モードの出力設定が異なる場合に、出力設定の変更が必要と判定する。
【００５７】
モードダイヤル１１１により選択可能な複数の撮影モードは、互いに出力設定としての解像度が異なる撮影モードを含むものとする。なお、本実施形態においては、出力設定の一例として解像度について説明するが、他の例としては、出力設定は、フレームレートと、ＨＤＲ又はＳＤＲといった輝度信号のダイナミックレンジであってもよい。
【００５８】
ＣＰＵ１０１は、出力設定の変更が必要と判定した場合には（Ｓ６０５でＹＥＳ）、処理をＳ６０６へ進める。ＣＰＵ１０１は、出力設定の変更が必要でないと判定した場合には（Ｓ６０５でＮＯ）、処理を終了する。すなわち、ＣＰＵ１０１は、出力設定の変更が必要でない場合には、処理時点において設定されている撮影モードに応じた出力設定で映像データの送信を継続する。Ｓ６０６において、ＣＰＵ１０１は、出力設定を新たに設定された撮影モードの出力設定に変更する。次に、Ｓ６０７において、ＣＰＵ１０１は、変更後の出力設定で映像データの送信を再開する。以上で、モード切替処理が終了する。
【００５９】
なお、Ｓ６０５〜Ｓ６０７の処理は、撮影モードガイドに応じた、撮影画像の出力制御処理の一例である。具体的には、モードダイヤルの回転により撮影モードが変更されたときに、モードガイドの表示が有効の場合には、変更前の撮影モードに対応する出力設定でモードガイドを外部表示装置へ出力するよう制御する処理の一例である。また、モードガイドの表示が無効の場合には、モードダイヤルにより変更された撮影モードに対応する出力設定に変更して、撮影画像を外部表示装置へ出力するよう制御する処理の一例である。
【００６０】
また、Ｓ６０７において、ＣＰＵ１０１は、所定の操作を受け付けたことに応じて、撮影モードガイドの出力から撮影画像の出力に切り替えるよう制御してもよい。
【００６１】
また、ＣＰＵ１０１は、撮影モードに対応する出力設定を変更可能であってもよい。本処理は、出力設定変更処理の一例である。
【００６２】
以上のように、実施形態に係る撮影装置１００によれば、撮影モードガイドの表示が有効か否かに応じて、出力設定の変更を制御する。このため、撮影モードガイドを表示する前に外部表示装置２００の解像度を変更する必要がなくなるため、スムーズに撮影モードを変更することができる。したがって、出力設定が変更される場合のユーザビリティを向上させることができる。
【００６３】
以上、本発明の好ましい実施形態について詳述したが、本発明は係る特定の実施形態に限定されるものではなく、特許請求の範囲に記載された本発明の要旨の範囲内において、種々の変形・変更が可能である。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１００  撮影装置
１０１  ＣＰＵ
１０７  表示部
２００  外部表示装置
【図１】
2019110423.tif 000003
【図２】
2019110423.tif 000004
【図３】
2019110423.tif 000005
【図４】
2019110423.tif 000006
【図５】
2019110423.tif 000007
【図６】
2019110423.tif 000008